(57)【要約】【課題】洗浄液として人体に悪影響を与える洗剤を含んだ洗浄液を使用せずに浴室の汚れを効果的に洗浄することができ、しかも浴槽内の湯水を電解水生成用の湯水として有効に利用でき利用コストを抑えられる浴室洗浄装置を提供する。【解決手段】浴室１に浴槽２内に所定量の湯水があるか否かを検知する浴槽水検知手段を設ける。浴室１又は浴室１外部に湯水を電気分解して電解水を生成する電解水生成装置３を設ける。浴槽２内に所定量の湯水がある場合には浴槽水供給路を介して浴槽２内の湯水を電解水生成装置３に供給し、浴槽２内に所定量の湯水が無い場合には水道又は給湯器４から水道水供給路を介して電解水生成装置３に湯水を供給する湯水供給手段を設ける。浴室１に前記電解水生成装置３にて生成された電解水を浴室１内に噴霧するミストノズル２０を設ける。【選択図】        図１
2004290397.tif 000002
【特許請求の範囲】
【請求項１】
浴室に浴槽内に所定量の湯水があるか否かを検知する浴槽水検知手段を設け、浴室又は浴室外部に湯水を電気分解して電解水を生成する電解水生成装置を設け、浴槽内と電解水生成装置とを浴槽水供給路にて連通接続すると共に、水道又は給湯器と電解水生成装置とを水道水供給路にて連通接続し、浴槽内に所定量の湯水がある場合には浴槽水供給路を介して浴槽内の湯水を電解水生成装置に供給し、浴槽内に所定量の湯水が無い場合には水道又は給湯器から水道水供給路を介して電解水生成装置に湯水を供給する湯水供給手段を設け、浴室に前記電解水生成装置にて生成された電解水を浴室内に噴霧するミストノズルを設けてなることを特徴とする浴室洗浄装置。
【請求項２】
上記電解水生成装置を酸性及びアルカリ性の両方の電解水を生成するものとし、電解水生成装置の下流側に電解水生成装置にて生成された噴霧前の酸性及びアルカリ性の電解水を各別に貯留するタンクを設けてなることを特徴とする請求項１記載の浴室洗浄装置。
【請求項３】
上記電解水生成装置を酸性及びアルカリ性の両方の電解水を生成するものとし、電解水生成装置の下流側にミストノズルから噴霧する電解水を酸性の電解水とアルカリ性の電解水とに切替えられる切替手段を設けてなることを特徴とする請求項１又は請求項２記載の浴室洗浄装置。
【発明の詳細な説明】
【０００１】
【発明の属する技術分野】
本発明は、浴室の洗浄及び防汚を行う浴室洗浄装置に関するものである。
【０００２】
【従来の技術】
浴室ではカビ、ぬめり、湯垢等の汚れが発生しやすく、従来ではこの汚れの洗浄をブラシや洗浄液を用いて手作業により行っていたが、このように手作業で汚れの洗浄を行った場合多大な労力を要する。
【０００３】
そこで近年では、洗剤を含んだ洗浄液や、温水又は水道水からなる洗浄液を浴室に噴出する噴出部を備え、噴出部により自動的に浴室を洗浄できるようにした浴室洗浄装置が利用されてきている（例えば特許文献１）。
【０００４】
しかしながら上記特許文献１に示す浴室洗浄装置にあっては、洗剤を含んだ洗浄液が人体に悪影響を与えてしまい、環境衛生上好ましくなく、また単なる水道水を洗浄液として利用した場合には浴室に付いた汚れが取れ難い。
【０００５】
また水道や給湯器から直接送られてくる水から酸性の電解水を生成する電解水生成装置と、この生成された酸性の電解水を噴霧するミストノズルとを備えた酸性ミスト発生装置なるものも知られており、このものは入浴後にアルカリ性及び中性となった本来酸性である皮膚にミストノズルから噴霧した酸性水を浴びせることで、皮膚の負担を軽減するものである（例えば特許文献２）。
【０００６】
しかしながら上記特許文献２に示す酸性ミスト発生装置は、酸性水を人体に対して噴霧するものであって、積極的に浴室に酸性水を噴霧して洗浄するものではない。さらにはこの酸性ミスト発生装置は、電解水生成用の湯水として給湯器から直接送られてくる湯水を利用するものであって、浴槽内の湯水を電解水生成用の湯水として有効に利用しておらず、電解水生成用の湯水として使用する湯水の利用コストがかかってしまう。
【０００７】
【特許文献１】
実開平７−２７４６３号公報
【特許文献２】
特開平３−１８９号公報
【０００８】
【発明が解決しようとする課題】
本発明は上記の点に鑑みてなされたものであり、その目的とするところは、洗浄液として人体や浴室環境に悪影響を与える洗剤を含んだ洗浄液を使用せずに浴室の汚れを効率よく洗浄することができ、しかも浴槽内の湯水を電解水生成用の湯水として有効に利用でき利用コストを抑えることができる浴室洗浄装置を提供するものである。
【０００９】
【課題を解決するための手段】
上記課題を解決するために本発明に係る浴室洗浄装置は、浴室１に浴槽２内に所定量の湯水があるか否かを検知する浴槽水検知手段を設け、浴室１又は浴室１外部に湯水を電気分解して電解水を生成する電解水生成装置３を設け、浴槽２内と電解水生成装置３とを浴槽水供給路にて連通接続すると共に、水道又は給湯器と電解水生成装置３とを水道水供給路にて連通接続し、浴槽２内に所定量の湯水がある場合には浴槽水供給路を介して浴槽２内の湯水を電解水生成装置３に供給し、浴槽２内に所定量の湯水が無い場合には水道又は給湯器４から水道水供給路を介して電解水生成装置３に湯水を供給する湯水供給手段を設け、浴室１に前記電解水生成装置３にて生成された電解水を浴室１内に噴霧するミストノズル２０を設けてなることを特徴とするものである。
【００１０】
このように、浴室１に浴槽２内に所定量の湯水があるか否かを検知する浴槽水検知手段を設け、浴室１又は浴室１外部に湯水を電気分解して電解水を生成する電解水生成装置３を設け、浴槽２内と電解水生成装置３とを浴槽水供給路にて連通接続すると共に、水道又は給湯器と電解水生成装置３とを水道水供給路にて連通接続し、浴槽２内に所定量の湯水がある場合には浴槽水供給路を介して浴槽２内の湯水を電解水生成装置３に供給し、浴槽２内に所定量の湯水が無い場合には水道又は給湯器４から水道水供給路を介して電解水生成装置３に湯水を供給する湯水供給手段を設け、浴室１に前記電解水生成装置３にて生成された電解水を浴室１内に噴霧するミストノズル２０を設けることで、単なる湯水よりも浴室１の汚れを綺麗に落とせ且つ環境に悪影響を与えない電解水により浴室１内の汚れを効率良く洗浄することができる。またこの場合、湯水供給手段によって浴槽２内に所定量の湯水がある場合には電解水生成用の湯水として浴槽２内の湯水を利用でき、浴槽２内に所定量の湯水が無い場合には電解水生成用の湯水として水道又は給湯器４からの湯水を利用できる。
【００１１】
また請求項２記載の発明は請求項１記載の浴室洗浄装置において、上記電解水生成装置３を酸性及びアルカリ性の両方の電解水を生成するものとし、電解水生成装置３の下流側に電解水生成装置３にて生成された噴霧前の酸性及びアルカリ性の電解水を各別に貯留するタンク５ａ、５ｂを設けてなることを特徴とするものである。
【００１２】
このように電解水生成装置３を酸性及びアルカリ性の両方の電解水を生成するものとすることで、防カビに効果のある酸性の電解水と、油垢の除去に効果のあるアルカリ性の電解水とでより一層綺麗に浴室１を洗浄することができ、またこの場電解水生成装置３の下流側に電解水生成装置３にて生成された噴霧前の酸性及びアルカリ性の電解水を各別に貯留するタンク５ａ、５ｂを設けることで、タンク５ａ、５ｂの夫々に噴霧前の酸性の電解水、アルカリ性の電解水を予め貯留することができ、電解水の噴霧時にこのタンク５ａ、５ｂに貯留された電解水を利用することで電解水の時間当たりの噴霧量を多くすることができる。
【００１３】
また請求項３記載の発明は請求項１又は請求項２記載の浴室洗浄装置において、上記電解水生成装置を酸性及びアルカリ性の両方の電解水を生成するものとし、電解水生成装置３の下流側にミストノズル２０から噴霧する電解水を酸性の電解水とアルカリ性の電解水とに切替えられる切替手段を設けてなることを特徴とするものである。
【００１４】
このようにミストノズル２０から噴霧する電解水を酸性の電解水とアルカリ性の電解水とに切替えられる切替手段を設けることで、切替え手段により浴室１の各種汚れに対応した電解水を噴霧してより効率よく浴室１を洗浄することが可能となる。
【００１５】
【発明の実施の形態】
以下、本発明を添付図面に示す実施形態に基づいて説明する。なお以下の実施形態では浴槽２内に所定量の湯水が無い場合に電解水生成装置３に供給される湯水を給湯器４から供給される湯水としたが、水道から直接供給される水であっても良い。
【００１６】
本実施形態における浴室洗浄装置は、浴槽２に浴槽２内に所定量の湯水があるか否かを検知する浴槽水検知手段を設け、浴室１又は浴室１外部に、湯水を電気分解して酸性の電解水を生成する電解水生成装置３を設け、浴槽２内と電解水生成装置３とを浴槽水供給路にて連通接続すると共に、給湯器４と電解水生成装置３とを直接水道水供給路にて連通接続し、浴室１又は浴室１外部に、浴槽２内に所定量の湯水がある場合には浴槽水供給路を介して浴槽２内の湯水を電解水生成装置３に供給し、浴槽２内に所定量の湯水が無い場合には給湯器４から水道水供給路を介して直接電解水生成装置３に湯水を供給する湯水供給手段を設け、浴室１に前記電解水生成装置３にて生成された電解水を浴室１内に噴霧するミストノズル２０を設けてなるものであって、加えて浴槽２内の湯水を浄化する機能を有している。
【００１７】
図１に本実施形態における浴室洗浄装置の全体構成図を示し、図２に湯水の流れを説明する説明図を示す。浴槽２の下部には、給湯口６と、吸込口７及び吹出口８が設けてある。浴槽水検知手段は浴槽２に設けてあって、浴室１又は浴室１外部に設けた制御部１０に接続されている。ここで浴槽水検知手段としては吸込口７と同じレベルもしくは吸込口７よりもやや上方位置に設けた湯水があるか否かを検知する湯水検知センサ（図示せず）を利用しており、この所定高さに配置された湯水検知センサによって浴槽２内に所定量の湯水があるか否かを検知している。なお、浴槽２の底面に吸込口７を設けると共に湯水検知センサ７を浴槽２の底面よりも下方に設ける等して、浴槽水検知手段を浴槽２内に湯水があるか否かを検知するものとしても良いものとする。
【００１８】
浴槽２の吸込口７と吹出口８とは循環水路９によって連通接続されている。循環水路９には図２に示すように吸込口７側（上流側）から順に、浴槽２内の湯水を吸込口７から吸い込んで下流側に送る循環ポンプ１１、弁１２、吸込口７から吸い込まれた浴槽２内の湯水をろ過して浄化するろ過槽１３、ろ過された湯水を電気分解して酸性の電解水を生成する電解水生成装置３、を設けている。循環水路９は電解水生成装置３の上流側の循環用配管９ａと、下流側の循環用配管９ｂとで構成されており、本実施形態においてはこの循環用配管９ａを浴槽水供給路としている。また上記のろ過槽１３及び電解水生成装置３はユニット化されており、浴槽２と浴室１の壁１６との隙間１７に配され、浴槽２によって覆い隠されている。
【００１９】
ここで電解水生成装置３について詳述すると、図３に示すように電解水生成装置３は電解槽１４と１対の電極１５、１５とからなり、両電極間１５に電圧を印加することで供給された湯水を電気分解して、湯水内に次亜塩素酸（ＨＣｌＯ）を発生させ、これにより洗浄液としての酸性の電解水を生成するものである。なお本実施形態の電解水生成装置３は図３に示すように両電極１５、１５間に隔膜を介さず所謂無隔膜式のものとするが、両電極１５、１５間に隔膜を有する隔膜式であっても良いものとし、この場合は電気分解によって生成されたアルカリ性の電解水は捨てられるものとする。
【００２０】
循環用配管９ｂには電解水分岐配管１８の上流側端部を連通接続しており、またこの分岐点Ａには弁部１９ａ（電解水生成装置３側）、１９ｂ（ミストノズル２０側）、１９ｃ（浴槽２側）を備えた三方弁１９を設けている。電解水分岐配管１８の下流側には電解水生成装置３にて生成された電解水を霧状にして浴室１内側に噴霧するミストノズル２０が複数連通接続してあって、各ミストノズル２０は、浴室１全体に電解水を噴霧できるように壁１６の上部もしくは天井２１に設けられている。そして本実施形態では分岐点Ａよりも上流側の循環用配管９ｂと電解水分岐配管１８とで、電解水生成装置３とミストノズル２０とを連通接続する電解水流路を構成している。ここで各ミストノズル２０は噴霧する電解水の霧化粒度が３００μｍ以下となるように設定されており、これによりミストノズル２０から噴霧される電解水の浴室１内面への塗着性を向上でき、且つ微粒化することで構造体の細部にまで電解水を行き渡らせることができる。
【００２１】
また浴室１外部には水道から供給された水を加熱する給湯器４が設けてあって、該給湯器４は給湯用ポンプ２２を備えている。そしてこの給湯器４は前述した浴槽２の給湯口６に給湯用配管２３を介して連通接続されている。給湯用配管２３にはその下流側端部が循環用配管９ｂのろ過槽１３よりも下流側に連通接続された水道水分岐配管２４の上流側端部を連通接続しており、この分岐点Ｂには弁部２５ａ（給湯器４側）、２５ｂ（電解水生成装置３側）、２５ｃ（浴槽２側）を備えた三方弁２５を設けている。そして本実施形態ではこの分岐点Ｂよりも上流側の給湯用配管２３と、水道水分岐配管２４と、水道水分岐配管２４との合流点よりも下流側の循環用配管９ａとで水道水供給路を構成している。
【００２２】
上記三方弁１９の各弁部１９ａ、１９ｂ、１９ｃ、三方弁２５の各弁部２５ａ、２５ｂ、２５ｃ、弁１２、循環ポンプ１１、給湯器用ポンプ２２、の夫々は制御部１０に接続されて以下のように制御されている。
【００２３】
まず通常、浴槽２を使用する場合について説明する。給湯器４から浴槽２内に湯水を供給する場合は、図示しない浴室１もしくは浴室１外部に設けた給湯用スイッチを操作して行う。給湯用スイッチの操作により制御部１０は三方弁２５の弁部２５ａ、２５ｃを開くと共に、弁部２５ｂを閉じ、同時に給湯用ポンプ２２を運転する。これにより給湯器４からの湯水は給湯用配管２３を通って給湯口６から噴出される。
【００２４】
また、浴槽２内の湯水を排水する際等に浴槽２や配管経路の浄化を行ったり、入浴に使用された浴槽２内の湯水を浄化して再度入浴用の湯水として利用する（所謂２４時間風呂として利用する）場合には、図示しない浄化スイッチを操作することで行う。浄化スイッチを操作することで、制御部１０は弁１２、三方弁１９の弁部１９ａ、１９ｃを開くと共に、三方弁１９の弁部１９ｂ、三方弁２５の弁部２５ｂを閉じ、同時に循環ポンプ１１を運転すると共に、電解水生成装置３の両電極１５、１５間に電圧を印加する。これにより浴槽２内の湯水は吸込口７から循環用配管９内に流入し、ろ過槽１３にて浄化された後、電解水生成装置３にてさらに浄化され、この後吹出口８より浴槽２内に噴出される。
【００２５】
そして入浴後等に浴室１内の洗浄及び防汚を行う場合は、図示しない洗浄スイッチを操作することで行う。使用者が洗浄スイッチを操作すると、図４に示すように電解水生成装置３の両電極１５、１５間に電圧を印加して電解槽１４内で酸性の電解水の生成を開始する。そして浴槽水検知手段にて浴槽２内に所定量の湯水があるか否かを判定し、この判定結果に基づいて制御部１０は以下の制御を行う。
【００２６】
すなわち浴槽２内に所定量の湯水がある場合は、弁１２、三方弁１９の弁部１９ａ、１９ｂを開くと共に、三方弁１９の弁部１９ｃ、三方弁２５の弁部２５ｂを閉じ、同時に循環ポンプ１１を運転する。これにより浴槽２内の湯水は、吸込口７から循環用配管９内に流入して循環ポンプ１１を通った後、ろ過槽１３にて浄化され、この浄化された湯水は電解水生成装置３にて酸性の電解水となる。そしてこの生成された酸性の電解水は電解水流路を通って各ミストノズル２０から浴室１内に噴霧される。
【００２７】
一方、浴槽水検知手段にて浴槽２内に所定量の湯水がない場合は、三方弁２５の弁部２５ａ、２５ｂ、三方弁１９の弁部１９ａ、１９ｂを開くと共に、弁１２、三方弁２５の弁部２５ｃ、三方弁１９の弁部１９ｃを閉じ、同時に給湯用ポンプ１２を運転する。これにより給湯器４から供給される湯水は、水道水供給路を通って電解水生成装置３に流入し、この後電解水生成装置３にて酸性の電解水となる。そしてこの生成された酸性の電解水は電解水流路を通って各ミストノズル２０から浴室１内に噴霧される。
【００２８】
すなわち本実施形態における湯水供給手段は、弁１２、三方弁１９、三方弁２５、循環ポンプ１１、給湯用ポンプ２２、これらを上記のように制御する制御部１０とで構成されている。
【００２９】
そしてこのようにミストノズル２０から噴霧された酸性の電解水は浴室１全体（床面２６、天井２１、壁１６、浴槽２等）に付着し、この付着した電解水により浴室１全体に発生したカビ、ぬめり、湯垢等の浴室１の汚れを洗浄すると共に浴室１の防汚を行うことができ、従って浴室１の洗浄作業を従来のように手作業により行わずにすみ洗浄作業の負担を軽減できる。
【００３０】
なお上記では電解水の噴霧時において、三方弁１９の弁部１９ｃを閉じて、ミストノズル２０からのみ電解水の噴霧を行ったが、例えば三方弁１９の弁部１９ａ、１９ｂ、１９ｃを開いて、ミストノズル２０からの噴霧と浴槽２内の湯水の浄化とを同時に行えるようにしても良いものとする。また上記では洗浄スイッチを操作することで自動的に電解水生成装置３をＯＮにするようにしたが、洗浄用スイッチとは別に電解水生成装置３用のスイッチを別に設け、電解水生成装置３のＯＮ・ＯＦＦを手動で切り替えられるようにしても良い。また上記では給湯用ポンプ２２及び循環ポンプ１１にて電解水を噴霧するようにしたが、例えば電解水流路に噴霧用のポンプを別に設けても良いものとし、さらには本実施形態における弁やポンプの配置や設置数は適宜設計変更可能なものである。
【００３１】
このように、浴室１に浴槽２内に所定量の湯水があるか否かを検知する浴槽水検知手段を設け、浴室１又は浴室１外部に湯水を電気分解して電解水を生成する電解水生成装置３を設け、浴槽２内に所定量の湯水がある場合には浴槽水供給路を介して浴槽２内の湯水を電解水生成装置３に供給し、浴槽２内に所定量の湯水が無い場合には水道又は給湯器４から水道水供給路を介して電解水生成装置３に湯水を供給する湯水供給手段を設け、浴室１に前記電解水生成装置３にて生成された電解水を浴室１内に噴霧するミストノズル２０を設けることで、洗浄液として、単なる湯水よりも浴室１の汚れを綺麗に落とせ且つ人体や環境に悪影響を与えない酸性の電解水により浴室１内の汚れを効率良く洗浄することができる。またこの場合、湯水供給手段によって浴槽２内に所定量の湯水がある場合には電解水生成用の湯水として浴槽２内の湯水を利用でき、浴槽２内に所定量の湯水が無い場合には電解水生成用の湯水として水道又は給湯器４からの湯水を利用でき、結果、入浴等に使用された浴槽２内の湯水を効率よく電解水生成用の湯水として再利用でき、浴室洗浄装置の利用コストを抑えられる。
【００３２】
ところで本発明者らは上記のように浴室１の洗浄及び防汚を行うにあたって、アルカリ性の電解水が湯垢を効果的に除去できることを発見した。すなわち、アルカリ性の電解水はマイナスイオンを帯びており、壁１６等の浴室１内面と汚れの物質が持つ夫々のプラスイオンのみを引き寄せ、結果、浴室１内面も汚れの物質もマイナスイオンのみが残され、同極同士が反発し合って、汚れ物質が分離するのであって、この場合特にカルシウム等ではなく脂肪酸（人の体から出た油分、石鹸等）系の物質に特に有効に働くものである。
【００３３】
そこで上記実施形態とは異なる実施形態について説明する。なお、本実施形態においては電解水生成装置３を酸性及びアルカリ性の両方の電解水を生成するものとし、電解水生成装置３の下流側、すなわち電解水生成装置３の陰極室３０及び陽極室３１とミストノズル２０とを連通接続する電解水流路の途中に、電解水生成装置３にて生成された噴霧前の酸性及びアルカリ性の電解水を各別に貯留するタンク５ａ、５ｂと、酸性の電解水の噴霧とアルカリ性の電解水の噴霧とを切替えられる切替手段とを設けた点に特徴があり、上記実施形態と同一の構成については同一の番号を付与してあり、重複する説明については説明を省略する。なお本実施形態では上記実施形態における電解水分岐配管１８及び三方弁１９は設けていないものとする。
【００３４】
図５に本実施形態における浴室洗浄装置の湯水の流れを説明する説明図、図６に電解水生成装置３における湯水の流れを説明する説明図を示す。電解水生成装置３は、図６に示すように両電極１５、１５間に介在する隔膜３８により電解槽１４を陰極室３０と陽極室３１とに区切った所謂隔膜式であって、陰極室３０にてアルカリ性の電解水を生成し、陽極室３１にて酸性の電解水を生成するものである。
【００３５】
循環用配管９ｂはその上流側端部が図６に示すように陽極室３１に連通接続しており、また循環用配管９ａの水道水分岐配管２４との合流点よりも下流側が分岐して、この分岐した夫々の下流側端部が陽極室３１、陰極室３０に連通接続してある。またこの循環用配管９ｂには弁３７を設けてあり、この弁３７は制御部１０に接続されている。
【００３６】
さらには陰極室３０と陽極室３１には、アルカリ水用配管３２の上流側端部、酸性水用配管３３の上流側端部が夫々連通接続されており、アルカリ水用配管３２と酸性水用配管３３の下流側端部は合流しており、この合流点Ｃには合流配管３５の上流側端部が接続されている。合流配管３５の下流側は各ミストノズル２０に連通接続してある。すなわち本実施形態においては、電解水流路をアルカリ水用配管３２、酸性水用配管３３、合流配管３５で構成している。またこの合流点Ｃには切替手段として弁部３４ａ（陰極室３０側）、３４ｂ（ミストノズル２０側）、３４ｃ（陽極室３１側）を備えた三方弁３４を設けてあり、三方弁３４の各弁部３４ａ、３４ｂ、３４ｃは制御部１０に接続されている。
【００３７】
そしてこの電解水流路の途中である、アルカリ水用配管３２及び酸性水用配管３３には、夫々噴霧前の電解水を貯留する酸性水貯留タンク５ａ、アルカリ水貯留タンク５ｂを設けている。また合流配管３５には、タンク５ａ、５ｂに貯留された電解水をミストノズル２０側に送り出す噴霧用ポンプ３６を設けており、該噴霧用ポンプ３６は制御部１０に接続されている。
【００３８】
浴槽２内の湯水を排水する際等に浴槽２や配管経路の浄化を行ったり、入浴に使用された浴槽２内の湯水を浄化して再度入浴用の湯水として利用する場合には、浄化スイッチを操作することで行う。浄化スイッチを操作することで、制御部１０は弁１２、弁３７を開くと共に、三方弁２５の弁部２５ｂ、三方弁３４の弁部３４ａ、３４ｃを閉じ、同時に循環ポンプ１１を運転すると共に、電解水生成装置３の両電極１５、１５間に電圧を印加する。これにより浴槽２内の湯水は吸込口７から循環用配管９ａ内に流入し、ろ過槽１３にて浄化された後、電解水生成装置３にて酸性の電解水となってさらに浄化され、この後循環用配管９ｂを通って吹出口８より浴槽２内に噴出される。またこの場合、電解水生成装置３にて生成された酸性及びアルカリ性の電解水は夫々、アルカリ水用配管３２、酸性水用配管３３、に流入してタンク５ａ、５ｂに貯留される。
【００３９】
そして浴室１内の洗浄及び防汚を行う場合は、図示しない酸性水洗浄スイッチ、アルカリ水洗浄スイッチのうちどちらか一方を操作することで行う。使用者がどちらか一方の洗浄スイッチを操作すると、図７に示すように電解水生成装置３の両電極１５、１５間に電圧が印加され電解槽１４内で酸性の電解水とアルカリ性の電解水の生成を始める。そして浴槽水検知手段にて浴槽２内に所定量の湯水があるか否かを判定し、この判定結果に基づいて制御部１０は以下の制御を行う。
【００４０】
すなわち浴槽２内に所定量の湯水があり且つ酸性水洗浄スイッチが操作された場合は、弁１２、三方弁３４の弁部３４ｂ、３４ｃを開くと共に、弁３７、三方弁３４の弁部３４ａ、三方弁２５の弁部２５ｂを閉じ、同時に循環ポンプ１１、噴出用ポンプ３６を運転する。これにより浴槽２内の湯水は、吸込口７から循環用配管９ａ内に流入して循環ポンプ１１を通った後、ろ過槽１３にて浄化され、この浄化された湯水は分岐して電解水生成装置３の陰極室３０内及び陽極室３１内に流入して夫々が酸性及びアルカリ性の電解水となる。そしてこの電解水のうち陽極室３１内の酸性の電解水は酸性水用配管３３に流入した後酸性水貯留タンク５ａに送られて貯留され、この貯留された酸性の電解水は酸性水用配管３３を通って合流配管３５に流入し、噴出用ポンプ３６を通って各ミストノズル２０から浴室１内に噴霧される。またこの場合陰極室３１内のアルカリ性の電解水はアルカリ水用配管３２に流入してアルカリ水貯留タンク５ｂに貯留される。
【００４１】
また浴槽２内に所定量の湯水があり且つアルカリ水洗浄スイッチが操作された場合は、弁１２、三方弁３４の弁部３４ａ、３４ｂを開くと共に、弁３７、三方弁３４の弁部３４ｃ、三方弁２５の弁部２５ｂを閉じ、同時に循環ポンプ１１、噴出用ポンプ３６を運転する。これにより浴槽２内の湯水は、吸込口７から循環用配管９ａ内に流入して循環ポンプ１１を通った後、ろ過槽１３にて浄化され、この浄化された湯水は分岐して夫々が陰極室内３０及び陽極室３１内に流入して電解水生成装置３にて酸性及びアルカリ性の電解水となる。そしてこの生成された電解水のうち、陰極室３０内のアルカリ性の電解水はアルカリ水用配管３２に流入した後アルカリ水貯留タンク５ｂに貯留され、この貯留されたアルカリ性の電解水はアルカリ水用配管３２を通って合流配管３５に流入し、噴出用ポンプ３６を通って各ミストノズル２０から浴室１内に噴霧される。またこの場合、陽極室３１内の酸性の電解水は酸性水用配管３３に流入した後酸性水貯留タンク５ａに貯留される。
【００４２】
一方、浴槽水検知手段にて浴槽２内に所定量の湯水がなく且つ酸性水洗浄スイッチが操作された場合は、三方弁２５の弁部２５ａ、２５ｂ、三方弁３４の弁部３４ｂ、３４ｃを開くと共に、弁１２、弁３７、三方弁２５の弁部２５ｃ、三方弁３４の弁部３４ａを閉じ、同時に給湯用ポンプ１２、噴出用ポンプ３６を運転する。これにより給湯器４から供給される湯水は、給湯用配管２３、水道水分岐配管２４を通って、循環用配管９ａに流入し、この後分岐して夫々が陰極室内３０及び陽極室３１内に流入して電解水生成装置３にて酸性及びアルカリ性の電解水となる。そしてこの生成された電解水のうち、陽極室３１内の酸性の電解水は、酸性水用配管３３を通って合流配管３５に流入し、噴出用ポンプ３６を通って各ミストノズル２０から浴室１内に噴霧される。またこの場合陰極室３０内のアルカリ性の電解水はアルカリ水用配管３２に流入した後アルカリ水貯留タンク５ｂに貯留される。
【００４３】
また浴槽水検知手段にて浴槽２内に所定量の湯水がなく、且つアルカリ水洗浄スイッチが操作された場合は、三方弁２５の弁部２５ａ、２５ｂ、三方弁３４の弁部３４ａ、３４ｂを開くと共に、弁１２、弁３７、三方弁２５の弁部２５ｃ、三方弁３４の弁部３４ｃを閉じ、同時に給湯用ポンプ１２、噴出用ポンプ３６を運転する。これにより給湯器４から供給される湯水は、給湯用配管２３、水道水分岐配管２４を通って循環用配管９ａに流入し、この後分岐して夫々が陰極室内３０及び陽極室３１内に流入して電解水生成装置３にて酸性及びアルカリ性の電解水となる。そしてこの生成された電解水のうち、陰極室３０内のアルカリ性の電解水は、アルカリ水用配管３２を通って合流配管３５に流入し、噴出用ポンプ３６を通って各ミストノズル２０から浴室１内に噴霧される。またこの場合陽極室３１内の酸性の電解水は酸性水用配管３３に流入した後酸性水貯留タンク５ａに貯留される。
【００４４】
すなわち本実施形態における湯水供給手段は、弁１２、弁３７、三方弁２５、循環ポンプ１１、給湯用ポンプ２２、これらを上記のように制御する制御部１０とで構成されている。
【００４５】
このように電解水生成装置３を酸性及びアルカリ性の両方の電解水を生成するものとすることで、防カビに効果のある酸性の電解水と、油垢を効果的に除去できるアルカリ性の電解水とでより一層効果的に浴室１を洗浄することができる。また電解水生成装置３の下流側に電解水生成装置３にて生成された噴霧前の酸性及びアルカリ性の電解水を各別に貯留するタンク５ａ、５ｂを設けることで、浴槽２内の湯水を浄化する際及び電解水を噴霧する際において、酸性水貯留タンク５ａ、アルカリ水貯留タンク５ｂの夫々に、噴霧前の酸性の電解水及びアルカリ性の電解水を貯留することができ、これにより電解水の噴霧時にこのタンク５ａ、５ｂに貯留された電解水を噴霧することで電解水生成装置３の電解水生成能力が低くとも電解水の単位時間当たりの噴霧量を多くすることができ、結果、電解水生成装置３のコストを削減できる。さらに言うと、従来から公知の隔膜式の電解水生成装置を備えた所謂２４時間風呂においては浴槽２内の湯水を浄化する際にアルカリ性の電解水を捨てていたが、この場合アルカリ性の電解水を洗浄水として有効に利用することができる。
【００４６】
また、ミストノズル２０から噴霧する電解水を、酸性の電解水とアルカリ性の電解水とに切替えられる切替手段（三方弁３４）を設けることで、切替え手段により浴室１の各種汚れに対応した電解水を噴霧することが可能となる。またこの場合、上記したように酸性もしくはアルカリ性の電解水のうち、どちらか一方の電解水を使用している間は、他方の電解水をタンク５に貯留することができ、従ってタンク５に貯留される電解水の量を多くできる。さらにはこのタンク５は浴槽２内の湯水の浄化の際においても電解水を貯留できるため、より一層タンク５に貯留される電解水の量を多くできる。
【００４７】
【発明の効果】
上記のように本発明の請求項１記載の発明にあっては、単なる湯水よりも浴室の汚れを綺麗に落とせ且つ環境に悪影響を与えない電解水により浴室内の汚れを効率良く洗浄することができる。またこの場合、湯水供給手段によって浴槽内に所定量の湯水がある場合には電解水生成用の湯水として浴槽内の湯水を利用でき、浴槽内に所定量の湯水が無い場合には電解水生成用の湯水として水道又は給湯器からの湯水を利用でき、結果、入浴等に使用された浴槽内の湯水を効率よく電解水生成用の湯水として再利用でき、浴室洗浄装置の利用コストを抑えられる。
【００４８】
また請求項２記載の発明にあっては、上記請求項１記載の発明の効果に加えて、電解水生成装置を酸性及びアルカリ性の両方の電解水を生成するものとすることで、防カビに効果のある酸性の電解水と、油垢を効果的に除去できるアルカリ性の電解水とでより一層効果的に浴室を洗浄することができ、また電解水生成装置の下流側に電解水生成装置にて生成された噴霧前の酸性及びアルカリ性の電解水を各別に貯留するタンクを設けることで、夫々のタンクに噴霧前の酸性の電解水、アルカリ性の電解水を予め貯留することができ、これにより電解水の噴霧時にこのタンクに貯留された電解水を噴霧することで電解水生成装置の電解水生成能力が低くとも電解水の時間当たりの噴霧量を多くすることができ、電解水生成装置のコストを削減できる。
【００４９】
また請求項３記載の発明にあっては、上記請求項１又は請求項２記載の発明の効果に加えて、ミストノズルから噴霧する電解水を酸性の電解水とアルカリ性の電解水とに切替えられる切替手段を設けることで、切替え手段により浴室の各種汚れに対応した電解水を噴霧してより効率よく浴室を洗浄することが可能となる。
【図面の簡単な説明】
【図１】本発明の実施の形態の一例を示し、浴室洗浄装置の全体構成図である。
【図２】同上の湯水の流れを説明する説明図である。
【図３】同上の電解水生成装置における湯水の流れを説明する説明図である。
【図４】同上のフロー図である。
【図５】異なる実施の形態の一例を示し、浴室洗浄装置の湯水の流れを説明する説明図である。
【図６】同上の電解水生成装置における湯水の流れを説明する説明図である。
【図７】同上のフロー図である。
【符号の説明】
１  浴室
２  浴槽
３  電解水生成装置
４  給湯器
５  タンク
２０  ミストノズル
【図１】
2004290397.tif 000003
【図２】
2004290397.tif 000004
【図３】
2004290397.tif 000005
【図４】
2004290397.tif 000006
【図５】
2004290397.tif 000007
【図６】
2004290397.tif 000008
【図７】
2004290397.tif 000009